(57)【要約】【課題】段ボールの形成時に振動や騒音が発生されるのを抑制することができると共に、不良段ボールが形成されるのを防止することができ、また原紙の無駄を防止することができるようにした紙継ぎ方法および紙継ぎ装置を提供することである。【解決手段】一方向に走行している旧原紙ａ１を停止し、その旧原紙ａ１と、その一側方において停止する新原紙ａ２の端末部とを互いに重ね合わせ、その旧原紙ａ１と新原紙ａ２の端末部の重なり部を同時に切断し、旧原紙ａ１の切断後端部と新原紙ａ２の切断前端部に跨るようにして片面粘着テープ片Ｔを貼り付けて旧原紙ａ１に新原紙ａ２を紙継ぎする。【選択図】図２
2008007273.tif 000002
【特許請求の範囲】
【請求項１】
駆動ローラによって走行する旧原紙を停止し、この旧原紙と、その片面側に待機する新原紙の端末部とを互いに重ね合わせ、その重なり部を幅方向の全長にわたって切断して前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎし、旧原紙の切断部より後行側と新原紙の切断部より先行側を原紙の走行路から退避させるようにした紙継ぎ方法。
【請求項２】
駆動ローラによって走行する旧原紙の片面側に新原紙の前端を直線状とされている端末部を待機させておき、前記旧原紙を停止状態とした後、この旧原紙と新原紙の端末部を互いに重ね合わせ、旧原紙を新原紙の直線状前端に沿って切断してこの旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎし、旧原紙の切断部より後行側を原紙の走行路から退避させるようにした紙継ぎ方法。
【請求項３】
回転駆動される原紙走行駆動用の駆動ローラと、
片面粘着テープ片をＬ形に吸着保持する略直角に配置された２つの吸着面を有し、一方の吸着面が駆動ローラに至る走行状態の旧原紙と対向し、他方の吸着面が前記一方の吸着面の下方に延長する状態まで開放自在とされたテープ片吸着ステーと、
前記旧原紙を挟んで前記テープ片吸着ステーと対向するように配置され、テープ片吸着ステーと対向する面において新原紙の端末部を吸着保持する新原紙吸着ステーと、
前記旧原紙に対して移動自在とされ、この旧原紙に向けての移動時にテープ片吸着ステーと新原紙吸着ステーとで挟持される旧原紙と新原紙の重なり部をテープ片吸着ステーに保持された片面粘着テープ片の折れ曲がり角と対向する位置で切断するカッタと、
からなり、前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎするようにした紙継ぎ装置。
【請求項４】
回転駆動される原紙走行駆動用の駆動ローラと、
片面粘着テープ片をＬ形に吸着保持する略直角に配置された２つの吸着面を有し、一方の吸着面が駆動ローラに至る走行状態の旧原紙と対向し、他方の吸着面が前記一方の吸着面の上方に延長する状態まで開放自在とされたテープ片吸着ステーと、
前記テープ片吸着ステーの下流側に配置されて旧原紙に対して移動自在とされ、旧原紙とテープ片吸着ステーとの間に挿通された新原紙の端末部を保持可能な新原紙クランプバーと、
旧原紙を挟んで前記テープ片吸着ステーと対向するように配置され、このテープ片吸着ステーとで旧原紙と新原紙の端末部とを重ね合わせる旧原紙吸着ステーと、
前記旧原紙に対して移動自在とされ、この旧原紙に向けての移動時に旧原紙と新原紙の端末部との重なり部を前記テープ片吸着ステーに保持された片面粘着テープ片の折れ曲がり角と対向する位置で切断するカッタと、
からなり、前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎするようにした紙継ぎ装置。
【請求項５】
回転駆動される原紙走行駆動用の駆動ローラと、
片面粘着テープ片をＬ形に吸着保持する略直角に配置された２つの吸着面を有し、一方の吸着面が駆動ローラに至る走行状態の旧原紙と対向し、他方の吸着面が前記一方の吸着面の上方に延長する状態まで開放自在とされ、前記２つの吸着面に吸着保持されたＬ形片面粘着テープ片の折れ曲がり角に新原紙の直線状の前端が一致するように新原紙の端末部を接着保持するテープ片吸着ステーと、
前記旧原紙を挟んで前記テープ片吸着ステーと対向するように配置され、このテープ片吸着ステーとで旧原紙と新原紙の端末部とを重ね合わせる旧原紙吸着ステーと、
前記旧原紙に対して移動自在とされ、この旧原紙に向けての移動時に旧原紙をテープ片吸着ステーに保持された片面粘着テープ片の折れ曲がり角と対向する位置で切断するカッタと、
からなり、前記旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎするようにした紙継ぎ装置。
【請求項６】
回転駆動される原紙走行駆動用の駆動ローラと、
片面粘着テープ片をＬ形に吸着保持する略直角に配置された２つの吸着面を有し、一方の吸着面が駆動ローラに至る走行状態の旧原紙と対向し、他方の吸着面が前記一方の吸着面の下方に延長する状態まで開放自在とされたテープ片吸着ステーと、
前記旧原紙を挟んで前記テープ片吸着ステーと対向するように配置され、テープ片吸着ステーと対向する面において新原紙の直線状の前端がテープ片吸着ステーに保持された片面粘着テープ片の折れ曲がり角と対向する位置に一致するよう新原紙の端末部を吸着保持する新原紙吸着ステーと、
前記テープ片吸着ステーの上流側において前記新原紙吸着ステーと対向するように配置され、この新原紙吸着ステーとで旧原紙と新原紙の端末部とを重ね合わせる旧原紙吸着ステーと、
前記旧原紙に対して移動自在とされ、この旧原紙に向けての移動時に旧原紙をテープ片吸着ステーに保持された片面粘着テープ片の折れ曲がり角と対向する位置で切断するカッタと、
からなり、前記旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎするようにした紙継ぎ装置。
【発明の詳細な説明】
【技術分野】
【０００１】
この発明は、シート加工部に向けて送り込まれた走行状態の旧原紙を一旦急速に停止させてこの旧原紙に対して次に使用される新原紙の端末部を自動的に紙継ぎする紙継ぎ方法および紙継ぎ装置に関するものである。
【背景技術】
【０００２】
中しんを波状に段成形し、その中しんの片側にライナーを貼り合わせて片面段ボールを形成し、その片面段ボールの中しんのもう一方の片側にライナーを貼り合わせて両面段ボールを形成し、あるいは上記両面段ボールに片面段ボールを張り合わせて複両面段ボールを通常２５０ｍ／分の速さで製造するコルゲータにおいては、ミルロールスタンドに次に使用される新巻取紙をセットして紙継ぎの準備をし、走行状態の旧原紙の消費によって旧巻取紙の巻き径が小さくなり、その巻き径が所定の巻き径に達した際に、旧原紙を一旦急速に停止させてこの旧原紙に新巻取紙から巻き戻された新原紙を紙継ぎして、その新原紙を走行させるようにし、この紙継ぎ中にはループ状に溜めてある旧原紙を使用しながら高速状態を維持して段ボールを製造している。
【０００３】
旧原紙の端末部に新原紙を自動的に紙継ぎする紙継ぎ装置として、特許文献１に記載されたものが従来から知られている。この特許文献１に記載された紙継ぎ装置においては、新巻取紙から巻き戻された新原紙の端末部の片面に両面粘着テープ片を接着し、あるいは接着剤を塗布して走行状態の旧原紙の一側方において待機させておき、紙継ぎの指令が出された際に、走行状態の旧原紙を停止させ、その旧原紙を新原紙の端末部に重ねるように押付けて接着した後、旧原紙を切断して切断部より下流側の旧原紙の牽引により新原紙を走行させるようにしている。
【０００４】
【特許文献１】実開昭５８−１７７８４４号公報
【発明の開示】
【発明が解決しようとする課題】
【０００５】
ところで、特許文献１に記載された紙継ぎ装置においては、旧原紙の端末部に新原紙の端末部が重なり合う重ね継ぎであるため、紙継ぎ部では２枚の原紙が重なり合う状態となり、以下のような問題が発生する。
【０００６】
例えば、紙継ぎされた原紙が中しんの場合、その中しんを段繰りする一対の段ロール間に中しんの分厚くなった紙継ぎ部が進入する際に衝撃力が負荷されて極めて大きな振動、騒音が発生したり、装置が壊れたりすると共に、上記紙継ぎ部での強度は強いため、きれいに波状に成形することができず、段成形後のライナーの接着時に接着不良が発生し、不良段ボールが形成されることになる。
【０００７】
また、紙継ぎされた原紙がライナーの場合、そのライナーの分厚くなった紙継ぎ部が段ロールとプレスローラ間に進入して波状に段成形された中しんに貼り合わされる際に両ロールに衝撃力が負荷されて振動、騒音が発生したり、装置が壊れたりすると共に、波状の中しんに潰れが生じて段ボールの強度が低下し、不良段ボールが形成されるという問題が発生する。更に、紙継ぎ部において２枚の原紙が重なり合うので、原紙の無駄が生じる。
【０００８】
この発明の課題は、段ボールの形成時に振動や騒音が発生されたり、装置が損傷されたりするのを抑制することができると共に、不良段ボールが形成されるのを防止することができ、更に原紙の無駄を防止できるようにした紙継ぎ方法および紙継ぎ装置を提供することである。
【課題を解決するための手段】
【０００９】
上記の課題を解決するために、この発明に係る第１の紙継ぎ方法においては、駆動ローラによって走行する旧原紙を停止し、この旧原紙と、その片面側に待機する新原紙の端末部とを互いに重ね合わせ、その重なり部を幅方向の全長にわたって切断して前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎし、旧原紙の切断部より後行側と新原紙の切断部より先行側を原紙の走行路から退避させるようにした構成を採用したのである。
【００１０】
また、この発明に係る第２の紙継ぎ方法においては、駆動ローラによって走行する旧原紙の片面側に新原紙の前端を直線状とされている端末部を待機させておき、前記旧原紙を停止状態とした後、この旧原紙と新原紙の端末部を互いに重ね合わせ、旧原紙を新原紙の直線状前端に沿って切断してこの旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎし、旧原紙の切断部より後行側を原紙の走行路から退避させるようにした構成を採用したのである。
【００１１】
また、この発明に係る第１の紙継ぎ装置においては、回転駆動される原紙走行駆動用の駆動ローラと、片面粘着テープ片をＬ形に吸着保持する略直角に配置された２つの吸着面を有し、一方の吸着面が駆動ローラに至る走行状態の旧原紙と対向し、他方の吸着面が前記一方の吸着面の下方に延長する状態まで開放自在とされたテープ片吸着ステーと、前記旧原紙を挟んで前記テープ片吸着ステーと対向するように配置され、テープ片吸着ステーと対向する面において新原紙の端末部を吸着保持する新原紙吸着ステーと、前記旧原紙に対して移動自在とされ、この旧原紙に向けての移動時にテープ片吸着ステーと新原紙吸着ステーとで挟持される旧原紙と新原紙の重なり部をテープ片吸着ステーに保持された片面粘着テープ片の折れ曲がり角と対向する位置で切断するカッタとからなり、前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎするようにした構成を採用したのである。
【００１２】
上記第１の紙継ぎ装置においては、テープ片吸着ステーの２つの吸着面によって片面粘着テープ片を吸着してＬ形の状態に保持し、また、新原紙の端末部を新原紙吸着ステーで吸着保持して紙継ぎの準備をしておく。
【００１３】
そして、紙継ぎの指令が出された際に、駆動ローラを停止し、新原紙吸着ステーとテープ片吸着ステーとの少なくともいずれか一方を互いに接近する方向に移動させて、新原紙の端末部と旧原紙とを重ね合わせると共に、テープ片吸着ステーに吸着保持されているＬ形状の片面粘着テープ片の半分を旧原紙に接着させる。
【００１４】
片面粘着テープ片の接着後、カッタによって旧原紙と新原紙の重なり部を切断し、その切断後、テープ片吸着ステーの他方の吸着面を下方へ開放して片面粘着テープ片の残りの半分を新原紙の切り離された後行側の端末部に接着する。その接着によって、旧原紙の切断後端と新原紙の切断前端とが突き合わせの紙継ぎ状態とされ、紙継ぎ後、駆動ローラの回転によって紙継ぎされた原紙を走行路に沿って下流側へ走行させる。
【００１５】
この発明に係る第２の紙継ぎ装置においては、回転駆動される原紙走行駆動用の駆動ローラと、片面粘着テープ片をＬ形に吸着保持する略直角に配置された２つの吸着面を有し、一方の吸着面が駆動ローラに至る走行状態の旧原紙と対向し、他方の吸着面が前記一方の吸着面の上方に延長する状態まで開放自在とされたテープ片吸着ステーと、前記テープ片吸着ステーの下流側に配置されて旧原紙に対して移動自在とされ、旧原紙とテープ片吸着ステーとの間に挿通された新原紙の端末部を保持可能な新原紙クランプバーと、旧原紙を挟んで前記テープ片吸着ステーと対向するように配置され、このテープ片吸着ステーとで旧原紙と新原紙の端末部とを重ね合わせる旧原紙吸着ステーと、前記旧原紙に対して移動自在とされ、この旧原紙に向けての移動時に旧原紙と新原紙の端末部との重なり部を前記テープ片吸着ステーに保持された片面粘着テープ片の折れ曲がり角と対向する位置で切断するカッタとからなり、前記旧原紙の切断後端と新原紙の切断前端を突き合わせ、この突き合わせ部を跨るように旧原紙の切断後端部と新原紙の切断前端部とに片面粘着テープ片を貼り付けて旧原紙に新原紙を紙継ぎするようにした構成を採用したのである。
【００１６】
上記第２の紙継ぎ装置においては、テープ片吸着ステーの２つの吸着面によって片面粘着テープ片を吸着してＬ形の状態に保持し、また、旧原紙とテープ片吸着ステー間に通された新原紙の端末部を新原紙クランプバーで挟持して紙継ぎの準備をしておく。
【００１７】
そして、紙継ぎの指令が出された際に、駆動ローラを停止し、旧原紙吸着ステーとテープ片吸着ステーとの少なくともいずれか一方を互いに接近する方向に移動させて、旧原紙と新原紙の端末部とを重ね合わせると共に、テープ片吸着ステーに吸着保持されているＬ形状の片面粘着テープ片の一方の吸着面に保持されている半分を新原紙に接着させる。
【００１８】
片面粘着テープ片の接着後、カッタによって旧原紙と新原紙の重なり部を切断する。その切断後、新原紙クランプバーを旧原紙から離反させて切離された新原紙の端末部を原紙走行路から退避させ、テープ片吸着ステーの他方の吸着面を上方へ開放してこの吸着面に保持されている片面粘着テープ片の残りの半分を旧原紙の切り離された先行側の端末部に接着する。その接着によって、旧原紙の切断後端と新原紙の切断前端とが突き合わせの紙継ぎ状態とされ、紙継ぎ後、駆動ローラの回転によって紙継ぎされた原紙を走行路に沿って下流側へ走行させる。
【００１９】
この発明に係る第３の紙継ぎ装置においては、回転駆動される原紙走行駆動用の駆動ローラと、片面粘着テープ片をＬ形に吸着保持する略直角に配置された２つの吸着面を有し、一方の吸着面が駆動ローラに至る走行状態の旧原紙と対向し、他方の吸着面が前記一方の吸着面の上方に延長する状態まで開放自在とされ、前記２つの吸着面に吸着保持されたＬ形片面粘着テープ片の折れ曲がり角に新原紙の直線状の前端が一致するように新原紙の端末部を接着保持するテープ片吸着ステーと、前記旧原紙を挟んで前記テープ片吸着ステーと対向するように配置され、このテープ片吸着ステーとで旧原紙と新原紙の端末部とを重ね合わせる旧原紙吸着ステーと、前記旧原紙に対して移動自在とされ、この旧原紙に向けての移動時に旧原紙をテープ片吸着ステーに保持された片面粘着テープ片の折れ曲がり角と対向する位置で切断するカッタとからなり、前記旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎするようにした構成を採用したのである。
【００２０】
上記第３の紙継ぎ装置においては、テープ片吸着ステーの２つの吸着面によって片面粘着テープ片を吸着してＬ形の状態に保持し、新原紙の直線状の前端がＬ形片面粘着テープ片の折れ曲がり角に一致するようにしてその端末部をテープ片吸着ステーの一方の吸着面へ吸着保持されている片面粘着テープ片の半分に接着して紙継ぎの準備をしておく。
【００２１】
そして、紙継ぎの指令が出された際に、駆動ローラを停止し、旧原紙吸着ステーとテープ片吸着ステーとの少なくともいずれか一方を互いに接近する方向に移動させて、旧原紙と新原紙の端末部とを重ね合わせた後、カッタによって旧原紙をＬ形片面粘着テープ片の折れ曲がり角と対向する位置で切断する。その切断後、テープ片吸着ステーの他方の吸着面を開放してこの吸着面に保持されている片面粘着テープ片の残りの半分を旧原紙の切り離された先行側の端末部に接着する。その接着によって、旧原紙の切断後端と新原紙の切断前端とが突き合わせの紙継ぎ状態とされ、紙継ぎ後、駆動ローラの回転によって紙継ぎされた原紙を走行路に沿って下流側へ走行させる。
【００２２】
この発明に係る第４の紙継ぎ装置においては、回転駆動される原紙走行駆動用の駆動ローラと、片面粘着テープ片をＬ形に吸着保持する略直角に配置された２つの吸着面を有し、一方の吸着面が駆動ローラに至る走行状態の旧原紙と対向し、他方の吸着面が前記一方の吸着面の下方に延長する状態まで開放自在とされたテープ片吸着ステーと、前記旧原紙を挟んで前記テープ片吸着ステーと対向するように配置され、テープ片吸着ステーと対向する面において新原紙の直線状の前端がテープ片吸着ステーに保持された片面粘着テープ片の折れ曲がり角と対向する位置に一致するよう新原紙の端末部を吸着保持する新原紙吸着ステーと、前記テープ片吸着ステーの上流側において前記新原紙吸着ステーと対向するように配置され、この新原紙吸着ステーとで旧原紙と新原紙の端末部とを重ね合わせる旧原紙吸着ステーと、前記旧原紙に対して移動自在とされ、この旧原紙に向けての移動時に旧原紙をテープ片吸着ステーに保持された片面粘着テープ片の折れ曲がり角と対向する位置で切断するカッタとからなり、前記旧原紙の切断後端と新原紙の前端を突き合わせ、この突き合わせ部を跨るように旧原紙の切断後端部と新原紙の前端部とに片面粘着テープ片を貼り付けて旧原紙に新原紙を紙継ぎするようにした構成を採用したのである。
【００２３】
上記第４の紙継ぎ装置においては、テープ片吸着ステーの２つの吸着面によって片面粘着テープ片を吸着してＬ形の状態に保持し、新原紙の直線状の前端がＬ形片面粘着テープ片の折れ曲がり角に対向する位置に一致するようにしてその端末部を新原紙吸着ステーで吸着して紙継ぎの準備をしておく。
【００２４】
そして、紙継ぎの指令が出された際に、駆動ローラを停止し、新原紙吸着ステーとテープ片吸着ステーとの少なくともいずれか一方を互いに接近する方向に移動させて、片面粘着テープ片の一方の吸着面に保持されている半分を旧原紙に接着させる。その接着後、カッタによって旧原紙をＬ形片面粘着テープ片の折れ曲がり角と対向する位置で切断する。その切断後、テープ片吸着ステーの他方の吸着面を下方へ開放して片面粘着テープ片の残りの半分を新原紙の端末部に接着する。その接着によって、旧原紙の切断後端と新原紙の前端とが突き合わせの紙継ぎ状態とされ、紙継ぎ後、駆動ローラの回転によって紙継ぎされた原紙を走行路に沿って下流側へ走行させる。
【発明の効果】
【００２５】
上記のように、この発明においては、旧原紙と新原紙の端末部とを重ね合わせて幅方向の全長にわたり切断し、旧原紙の直線状の後端と新原紙の直線状の前端とが突き合わされた状態で、その突き合せ部に跨るように片面粘着テープ片を貼り付けるようにしたので、旧原紙と新原紙とを極めて短時間に確実に、しかも旧原紙の後端と新原紙の前端が突き合う状態で紙継ぎすることができる。
【００２６】
また、旧原紙の後端と新原紙の前端が突き合う状態で紙継ぎすることができるため、段ボールの形成時に振動や騒音が発生するのを抑制することができると共に、不良段ボールが形成されるのを防止することができ、また原紙の無駄を防止することができる。
【発明を実施するための最良の形態】
【００２７】
以下、この発明の実施形態を図面に基づいて説明する。図１乃至図５はこの発明に係る紙継ぎ装置の第１の実施形態を示す。図１に示すように、ミルロールスタンド１は、対向一対のアーム２を２組有し、各組の対向一対のアーム２はこれらのアーム２間の中心位置を対象として相対的に移動自在とされ、その対向端部において巻取紙Ａ１，Ａ２を軸方向両端から挟持して回転自在に支持するようになっている。
【００２８】
ここで、巻取紙Ａ１は、使用状態にある旧巻取紙を示し、また、巻取紙Ａ２は次に使用される新巻取紙を示す。旧巻取紙Ａ１から巻き戻された旧原紙ａ１は左右一対のガイドローラ３，４の一方のガイドローラ３に案内されて、そのガイドローラ３，４上に設けられたプレスローラ６と、原紙走行駆動用の駆動ローラ５の接触部間に挿通され、上記駆動ローラ５の回転によって原紙の走行路を矢印方向に走行して下流側の次工程である段ボール製造装置へ供給される。なお、プレスローラ６を駆動ローラ５と同調させて逆方向に駆動回転させるようにしてもよい。
【００２９】
図２(ａ)，(ｂ)に示すように、ガイドローラ３とその上方のプレスローラ６間には旧原紙ａ１の幅方向に長く延びる角筒状のテープ片吸着ステー１０が設けられている。テープ片吸着ステー１０は略直角に配置された２つの同じ長さを持った吸着面１１，１２を外周に有し、その吸着面１１，１２が互いに交わる交差線と対角位置の稜線とを含む平面を分割面としてテープ片吸着ステー１０は２分割されている。
【００３０】
テープ片吸着ステー１０の分割によって形成された２つの分割ステー１０ａ，１０ｂは吸着面１１，１２の交差部を中心として接触、離反するように開閉自在に連結され、開放時に一対の吸着面１１，１２が垂直方向に同一平面上に配置されるようになっている。
【００３１】
各分割ステー１０ａ，１０ｂの吸着面１１，１２のそれぞれには複数の吸引孔１３が形成され、一方、分割ステー１０ａ，１０ｂのそれぞれ内部にはサクションチャンバ１４が設けられ、各サクションチャンバ１４内のエアの排気によって複数の吸引孔１３に吸引力が付与され、開閉自在の分割ステー１０ｂを図２(ａ)，(ｂ)に示すようにその分割面と分割ステー１０ａの分割面とを接触させて閉鎖して吸着面１１と吸着面１２とを略直角とさせた状態でこれらの吸着面１１，１２により片面粘着テープ片ＴをＬ形状態にそれぞれ所定長さだけ吸着保持し得るようになっている。
【００３２】
テープ片吸着ステー１０における一方の分割ステー１０ａは吸着面１１が旧原紙ａ１と近接、対向するようにして固定の配置とされ、他方の分割ステー１０ｂは、一方の分割ステー１０ａに対してその吸着面１１の下端を中心として開閉自在とされている。
【００３３】
駆動ローラ５とその下方に位置するガイドローラ４間には、旧原紙ａ１を挟んだ状態で上記テープ片吸着ステー１０に対向するように旧原紙ａ１の幅方向に長く延びる新原紙吸着ステー２０が設けられている。新原紙吸着ステー２０は角筒状をなし、その上下方向の長さは、テープ片吸着ステー１０の長さより長く、その上端部がテープ片吸着ステー１０と対向している。この新原紙吸着ステー２０はテープ片吸着ステー１０に対して水平方向に移動自在とされている。
【００３４】
新原紙吸着ステー２０のテープ片吸着ステー１０に対する対向面は吸着面２１とされ、その吸着面２１に左右方向（旧原紙ａ１の幅方向）に並ぶ複数の吸引孔２２が上下方向に間隔をおいて複列に形成され、各吸引孔２２に付与される吸引力によって新巻取紙Ａ２から巻き戻された新原紙ａ２の端末部が吸着面２１で吸着支持されて旧原紙ａ１の片面側において待機させられるようになっている。
【００３５】
また、吸着面２１には、上下方向の略中央位置に後述するカッタの刃先部が挿入可能なカッタ挿入孔２３が形成されている。
【００３６】
テープ片吸着ステー１０とガイドローラ３間には旧原紙吸着ステー３０が設けられている。この旧原紙吸着ステー３０は図２(ａ)の点Ｏ（ガイドローラ３とガイドローラ４との軸心間の中心位置）を中心として揺動自在であり、旧原紙ａ１に対する対向面は吸着面３１とされ、その吸着面３１に複数の吸引孔３２が設けられ、各吸引孔３２に付与する吸引力によって旧原紙ａ１が吸着面３１に吸着保持されるようになっている。
【００３７】
旧原紙吸着ステー３０の上面には旧原紙ａ１と新原紙ａ２の幅方向の全長にわたるカッタ４０が取付けられている。カッタ４０はその刃先部が吸着面３１の前側に突出するように支持されている。旧原紙吸着ステー３０が旧原紙ａ１に向けて揺動してその吸着面３１が接触した時に、カッタ４０の刃先部は新原紙吸着ステー２０のカッタ挿入孔２３へ挿入するために、カッタ４０の揺動で互いに重ね合わされた旧原紙ａ１と新原紙ａ２の端末部の重なり部をテープ片吸着ステー１０に吸着保持されたＬ形の片面粘着テープ片Ｔの折れ曲がり角部と対向する位置で同時に切断するようになっている。
【００３８】
なお、実施の形態では、旧原紙吸着ステー３０を揺動自在に支持して、旧原紙ａ１に対し移動できるようにしたが、水平方向へ往復動自在に支持して、旧原紙ａ１に対し移動できるようにしてもよい。
【００３９】
実施の形態で示す紙継ぎ装置は上記の構造からなり、図２(ａ)は、紙継ぎの準備状態を示し、片面粘着テープ片Ｔはテープ片吸着ステー１０の２つの吸着面１１，１２にそれぞれ所定長さだけ吸着されてＬ形の吸着状態とされ、また、新原紙ａ２の端末部は新原紙吸着ステー２０の吸着面２１に吸着保持されている。さらに、旧原紙吸着ステー３０は点Ｏを中心として揺動されて旧原紙ａ１から離反する待機位置に保持されている。
【００４０】
上記のような準備状態において、紙継ぎの指令が出されると、駆動ローラ５が停止する。その停止によって駆動ローラ５に向けて原紙の走行路を走行中であった旧原紙ａ１が停止状態とされる。
【００４１】
旧原紙ａ１の停止後、新原紙吸着ステー２０が旧原紙ａ１に向けて水平方向に移動し、その移動によって旧原紙ａ１の片面側において待機していた新原紙ａ２の先端の端末部が旧原紙ａ１に押付けられて互いに重なり合うと共に、旧原紙ａ１が分割ステー１０ａと分割ステー１０ｂのそれぞれの分割面を接触させて矩形状になっているテープ片吸着ステー１０の吸着面１１側に垂直状に保持された所定長さの片面粘着テープ片Ｔに押付けられ、上記片面粘着テープ片Ｔの略半分が旧原紙ａ１に接着する。
【００４２】
なお、テープ片吸着ステー１０を水平方向に移動させるようにして、旧原紙ａ１と新原紙ａ２とを重なり合うようにしてもよいし、新原紙吸着ステー２０とテープ片吸着ステー１０の双方を互いに接近するように移動させてもよい。すなわち、テープ片吸着ステー１０と新原紙吸着ステー２０との少なくともいずれか一方を互いに接近する方向に移動させればよい。
【００４３】
新原紙吸着ステー２０の移動停止後、旧原紙吸着ステー３０が旧原紙ａ１に向けて点Ｏを中心として揺動する。図３(ｃ)，(ｄ)は旧原紙吸着ステー３０の揺動状態を示し、その旧原紙吸着ステー３０の揺動によってカッタ４０が旧原紙ａ１側から新原紙ａ２側へ向けて移動して、旧原紙ａ１と新原紙ａ２の端末部の重なり部を分割ステー１０ａと分割ステー１０ｂのそれぞれの分割面を接触させて矩形状になっているテープ片吸着ステー１０の吸着面１１，１２にＬ形に吸着保持された片面粘着テープ片Ｔの折れ曲がり角と対向する位置で旧原紙ａ１側から新原紙ａ２側へ同時に切断する。この切断によって旧原紙ａ１の切断後端と新原紙ａ２の切断前端が形成され、この切断後端と切断前端が向かい合う状態になる。
【００４４】
また、旧原紙ａ１の切断された後行側の先端部が旧原紙吸着ステー３０によって吸着保持される。
【００４５】
旧原紙吸着ステー３０は、カッタ４０が原紙の重なり部を幅方向の全長にわたって切断すると、新原紙吸着ステー２０から離反する方向に揺動する。その揺動によって、旧原紙ａ１の切断部より後行側の先端部が原紙走行路から退避、排除され、旧原紙ａ１の切断後端と新原紙ａ２の切断前端が突き合わされた状態になる。
【００４６】
図４(ｅ)に示すように、旧原紙吸着ステー３０が待機位置まで戻ると、テープ片吸着ステー１０の開閉自在の分割ステー１０ｂが分割ステー１０ａの分割面から離れて下方向へ開放し、吸着面１２が吸着面１１の下方向へ直線状に続く延長状態になる。
【００４７】
図４(ｅ)，(ｆ)は分割ステー１０ｂの開放状態を示し、その分割ステー１０ｂの開放によって、垂直状態となって吸着面１２に吸着されている所定長さの片面粘着テープ片Ｔの未接着部が新原紙ａ２の切断前端部に接着される。従って、所定長さの片面粘着テープ片Ｔが新原紙ａ２の切断前端と旧原紙ａ１の切断後端とが突き合わされた状態でこの切断前端部と切断後端部とに跨るように貼り付けられて、旧原紙ａ１に新原紙ａ２が紙継ぎされる。
【００４８】
紙継ぎ後、分割ステー１０ｂの分割面が分割ステー１０ａの分割面と接触して分割ステー１０ｂが閉鎖する上方向に揺動し、また、新原紙吸着ステー２０は、新原紙ａ２の切断部より先行側の切断屑となる原紙を走行路から退避、排除するためにこの新原紙ａ２の切断屑部を吸着保持した状態で、図５(ｇ)、(ｈ)に示すように、水平方向に移動して紙継ぎされた原紙から離反し、その離反後、駆動ローラ５が回転し、その回転によって紙継ぎされた原紙が同図の矢印方向に走行する。
【００４９】
上記のように、新原紙ａ２は旧原紙ａ１に対して、端縁が突き合う状態での紙継ぎであるため、紙継ぎ部での厚みの変化がない。このため、紙継ぎされた原紙が中しんの場合、その中しんを高精度に、かつ振動や騒音の発生を抑制する状態で段成形することができる。
【００５０】
また、紙継ぎされた原紙がライナーの場合、そのライナーを波状に段成形された中しんに対して段潰れを生じさせることなく精度よく貼り合せることができる。
【００５１】
図６乃至図９は、この発明に係る紙継ぎ装置の第２の実施形態を示す。この実施の形態では、図６(ｉ)，(ｊ)に示すように、旧原紙ａ１の一側方すなわち上下方向に配置されている駆動ローラ５とガイドローラ４との間に旧原紙吸着ステー５０を設け、旧原紙ａ１を挟んで、その旧原紙吸着ステー５０下部に対向するようにテープ片吸着ステー１０を設けると共に、旧原紙吸着ステー５０の上部に対向するように新原紙クランプバー６０を設けている。すなわち、新原紙クランプバー６０とテープ片吸着ステー１０は上下方向に配置されているプレスローラ６とガイドローラ３との間において上下に設けられている。
【００５２】
ここで、テープ片吸着ステー１０は、図２に示すテープ片吸着ステー１０を採用しており、一方の分割ステー１０ａの吸着面１１の上端を中心として他方の分割ステー１０ｂを上下方向に開閉自在としている点で図２のテープ片吸着ステー１０と相違しており、図８(ｍ)，(ｎ)に示すように、分割ステー１０ｂの分割面が分割ステー１０ａの分割面から離れて上方向へ開放し、分割ステー１０ｂの吸着面１２が吸着面１１の上方向へ直線状に続く状態になる。
【００５３】
旧原紙吸着ステー５０は、旧原紙ａ１と新原紙ａ２とを挟んでテープ片吸着ステー１０と対向するように配置され、旧原紙ａ１に対して水平方向に移動自在とされ、その旧原紙ａ１と対向する面は吸着面５１とされ、その吸着面５１に左右方向（旧原紙ａ１の幅方向）に並ぶ複数の吸引孔５２が上下方向に間隔をおいて複列に設けられ、各吸引孔５２に付与される吸引力によって旧原紙ａ１を吸着面５１に吸着保持し得るようになっている。
【００５４】
また、旧原紙吸着ステー５０には、高さ方向の略中央にカッタ挿入用のスリット５３が形成され、そのスリット５３内に原紙切断用であって旧原紙ａ１と新原紙ａ２の幅方向の全長にわたるカッタ４０が旧原紙吸着ステー５０の内側から水平方向にスライド自在に挿通されている。
【００５５】
カッタ４０は、旧原紙吸着ステー５０の内部から旧原紙ａ１に向けての水平移動時に、その旧原紙ａ１とこれに重ね合わされた新原紙ａ２の重なり部をテープ片吸着ステー１０にＬ形に吸着保持された片面粘着テープ片Ｔの折れ曲がり角と対向する位置より切断するようになっている。
【００５６】
新原紙クランプバー６０は、テープ片吸着ステー１０の上方である原紙走行路の下流側に配置され、支持バー６１と、その支持バー６１の上面に対して上下方向に移動可能な開閉バー６２とからなり、上記支持バー６１の上面と開閉バー６２の間に挿通された新原紙ａ２の端末部を開閉バー６２の下方向への移動による閉鎖により支持バー６１とで挟持するようにしている。
【００５７】
従って、新原紙ａ２の端末部は旧原紙ａ１とテープ片吸着ステー１０とに挟まれて挿通されて新原紙クランプバー６０へ挟持され、旧原紙ａ１の片面側に待機した状態になる。
【００５８】
新原紙クランプバー６０およびテープ片吸着ステー１０は、ガイドローラ３を中心として揺動自在とされ、旧原紙ａ１から離反する、旧原紙吸着ステー５０とは反対方向の位置(図６(ｉ)の鎖線で示す位置)が待機位置とされ、それぞれの待機位置において新原紙ａ２の先端の端末部の挟持や片面粘着テープ片Ｔのセット作業がそれぞれ行われる。
【００５９】
第２の実施形態で示す紙継ぎ装置は上記の構造からなり、図６(ｉ)，(ｊ)は、紙継ぎの準備状態を示し、片面粘着テープ片Ｔは分割ステー１０ａと分割ステー１０ｂのぞれぞれの分割面が接触して閉じて矩形状になっているテープ片吸着ステー１０の２つの吸着面１１，１２に吸着されてＬ形の吸着状態とされ、また、新原紙ａ２の先端の端末部は新原紙クランプバー６０によって挟持されている。さらに、旧原紙吸着ステー５０は旧原紙ａ１から水平方向に離反する待機位置に保持されている。
【００６０】
上記のような準備状態において、紙継ぎの指令が出されると、駆動ローラ５が停止する。その停止によって駆動ローラ５に向けて原紙の走行路を走行中であった旧原紙ａ１が停止状態とされる。
【００６１】
旧原紙ａ１の停止後、新原紙吸着ステー５０が旧原紙ａ１に向けて水平方向に移動し、その移動によって旧原紙ａ１がこの旧原紙ａ１の片面側において待機している新原紙ａ２の先端の端末部に押付けられて互いに重なり合うと共に、新原紙ａ２の端末部が分割ステー１０ａと分割ステー１０ｂのそれぞれの分割面を接触させて矩形状になっているテープ片吸着ステー１０の吸着面１１側に垂直状に保持された片面粘着テープ片Ｔに押付けられ、上記片面粘着テープ片Ｔの略半分が新原紙ａ２の端末部に接着する。
【００６２】
なお、テープ片吸着ステー１０の旧原紙吸着ステー５０方向への移動またはテープ片吸着ステー１０と旧原紙吸着ステー５０の双方を互いに接近するように移動させて、旧原紙ａ１と新原紙ａ２とを互いに重なり合うようにしてもよい。すなわち、テープ片吸着ステー１０と旧原紙吸着ステー５０との少なくともいずれか一方を互いに接近する方向に移動させればよい。
【００６３】
旧原紙吸着ステー５０の移動停止後、カッタ４０が旧原紙ａ１と新原紙ａ２の端末部の重なり部に向けて旧原紙吸着ステー５０の内部から旧原紙ａ１側から新原紙ａ２側への水平方向に移動して、図７(ｋ)，(ｌ)に示すように、その重なり部を矩形状になっているテープ片吸着ステー１０の吸着面１１，１２にＬ形に吸着保持された片面粘着テープ片Ｔの折れ曲がり角と対向する位置で旧原紙ａ１側から新原紙ａ２側へ同時に切断する。この切断によって旧原紙ａ１の切断後端と新原紙ａ２の切断前端が形成され、この切断後端と切断前端が向かい合う状態になる。
【００６４】
また、旧原紙ａ１の切断部より後行側の先端部が旧原紙吸着ステー５０によって吸着保持される。
【００６５】
カッタ４０が原紙の重なり部を幅方向の全長にわたって切断すると、図８(ｍ)に示すように、新原紙クランプバー６０が旧原紙ａ１から離反する旧原紙吸着ステー５０とは反対方向に揺動して、新原紙ａ２の切断部より先行側の切断屑となる原紙を走行経路から退避、排除し、その新原紙クランプバー６０の揺動開始から少し遅れてテープ片吸着ステー１０の開閉自在の分割ステー１０ｂが分割ステー１０ａの分割面から離れて上方向へ開放し、吸着面１２が吸着面１１の上方向へ直線状に続く延長状態になり、更に旧原紙ａ１の切断後端と新原紙ａ２の切断前端が突き合わされた状態になる。
【００６６】
図８(ｍ)，(ｎ)は分割ステー１０ｂの開放状態を示し、その分割ステー１０ｂの開放によって、垂直状態になっている吸着面１２に吸着されている片面粘着テープ片Ｔの未接着部が旧原紙ａ１の切断後端部に接着される。従って、所定長さの片面粘着テープ片Ｔが新原紙ａ２の切断前端と旧原紙ａ１の切断後端とが突き合わされた状態でこの切断前端部と切断後端部とに跨るように貼り付けられて、旧原紙ａ１に新原紙ａ２が紙継ぎされる。
【００６７】
紙継ぎ後、分割ステー１０ｂの分割面が分割ステー１０ａの分割面と接触して分割ステー１０ｂが閉鎖する下方向に揺動し、また、旧原紙吸着ステー５０は旧原紙ａ１の切断部より後行側の原紙を走行路から退避、排除するためにこの切断後行部を吸着保持した状態で、図９(ｏ)、(ｐ)に示すように、水平方向に移動して紙継ぎされた原紙から離反し、その離反後、駆動ローラ５が回転し、その回転によって紙継ぎされた原紙が同図の矢印方向に走行する。
【００６８】
第２の実施形態で示す紙継ぎ装置においても、新原紙ａ２を旧原紙ａ１に対して、端縁が突き合う状態で紙継ぎすることができるため、振動や騒音の発生を抑制する状態で波状に段成形したり、段成形された中しんに段潰れを生じさせることなく貼り合わせたりすることができる。
【００６９】
図１０は、この発明に係る紙継ぎ装置の第３の実施形態を示す。この実施形態では、駆動ローラ５とガイドローラ４間における旧原紙ａ１の一側方に旧原紙吸着ステー５０を設けると共に、プレスローラ６とその下方に設けられたガイドローラ３との間に、上記旧原紙ａ１を挟んで、その旧原紙吸着ステー５０の下部に対向するようにテープ片吸着ステー１０を設けている。
【００７０】
ここで、テープ片吸着ステー１０は、第２の実施形態に示されるテープ片吸着ステー１０と同様に、片面粘着テープ片ＴをＬ形に吸着保持する略直角に配置された２つの吸着面１１，１２を有し、一方の吸着面１１が走行状態の旧原紙ａ１と対向し、他方の吸着面１２が前記一方の吸着面１１の上方に延長する状態まで開放自在とされ、前記２つの吸着面１１，１２に吸着保持されたＬ形片面粘着テープ片Ｔの折れ曲がり角に新原紙ａ２の直線状の前端が一致するように新原紙ａ２の端末部を接着保持するようになっている。
【００７１】
また、旧原紙吸着ステー５０も第２の実施形態に示される旧原紙吸着ステー５０と同様に、旧原紙ａ１に対して水平方向に移動自在とされ、その旧原紙ａ１と対向する吸着面５１に左右方向（旧原紙ａ１の幅方向）に並ぶ複数の吸引孔５２を上下方向に間隔をおいて複列に設けている。
【００７２】
また、旧原紙吸着ステー５０の高さ方向の略中央にカッタ挿入用のスリット５３を形成し、そのスリット５３内に旧原紙ａ１の幅方向の全長にわたって切断するカッタ４０をスライド自在に挿通している。
【００７３】
上記第３の実施形態においては、テープ片吸着ステー１０の２つの吸着面１１，１２によって片面粘着テープ片Ｔを吸着してＬ形の状態に保持し、新原紙ａ２の直線状の前端がＬ形片面粘着テープ片Ｔの折れ曲がり角に一致するようにしてその端末部をテープ片吸着ステー１０の一方の吸着面１１に吸着保持されている片面粘着テープ片Ｔの半分に接着して紙継ぎの準備をしておく。
【００７４】
そして、紙継ぎの指令が出された際に、駆動ローラ５を停止し、旧原紙吸着ステー５０とテープ片吸着ステー１０との少なくともいずれか一方を互いに接近する方向に移動させて、旧原紙ａ１と新原紙ａ２の端末部とを重ね合わせた後、カッタ４０によって旧原紙ａ１をＬ形片面粘着テープ片Ｔの折れ曲がり角と対向する位置で新原紙ａ２の直線状の前端に沿うように幅方向に切断する。
【００７５】
その切断後、テープ片吸着ステー１０の他方の吸着面１２を開放してこの吸着面１２に保持されている片面粘着テープ片Ｔの残りの半分を旧原紙ａ１の切り離された先行側の端末部に接着する。その接着によって、旧原紙ａ１の切断後端と新原紙ａ２の前端とが突き合わせの紙継ぎ状態とされ、紙継ぎ後、駆動ローラ５の回転によって紙継ぎされた原紙を走行路に沿って下流側へ走行させるようにしている。
【００７６】
上記第３の実施形態おいても、旧原紙ａ１の後端と新原紙ａ２の前端とが突き合う状態で紙継ぎすることができ、段ボールの形成時に振動や騒音が発生するのを抑制することができると共に、不良段ボールが形成されるのを防止することができ、また原紙の無駄を防止することができる。
【００７７】
図１１は、この発明に係る紙継ぎ装置の第４の実施形態を示す。この実施形態で示す紙継ぎ装置においては、第１の実施形態で示す紙継ぎ装置と同一の構成とされ、紙継ぎ動作のみが第１の実施形態と相違している。このため、第１の実施形態で示す紙継ぎ装置と同一の部品には、同一の符号を付して説明を省略する。
【００７８】
上記第４の実施形態では、テープ片吸着ステー１０の２つの吸着面１１，１２によって片面粘着テープ片Ｔを吸着してＬ形の状態に保持し、新原紙ａ２の直線状の前端がＬ形片面粘着テープ片Ｔの折れ曲がり角に対向する位置に一致するようにしてその端末部を新原紙吸着ステー２０で吸着して紙継ぎの準備をしておく。
【００７９】
そして、紙継ぎの指令が出された際に、駆動ローラ５を停止し、新原紙吸着ステー２０とテープ片吸着ステー１０との少なくともいずれか一方を互いに接近する方向に移動させて、片面粘着テープ片Ｔの一方の吸着面１１に保持されている半分を旧原紙ａ１に接着させる。
【００８０】
その接着後、カッタ４０によって旧原紙ａ１をＬ形片面粘着テープ片Ｔの折れ曲がり角と対向する位置で新原紙ａ２の直線状の前端に沿うように幅方向に切断する。その切断後、テープ片吸着ステー１０の他方の吸着面１２を下方へ開放して片面粘着テープ片Ｔの残りの半分を新原紙の端末部に接着する。その接着によって、旧原紙ａ１の切断後端と新原紙ａ２の前端とが突き合わせの紙継ぎ状態とされ、紙継ぎ後、駆動ローラ５の回転によって紙継ぎされた原紙を走行路に沿って下流側へ走行させるようにしている。
【００８１】
上記第４の実施形態おいても、旧原紙ａ１の後端と新原紙ａ２の前端とが突き合う状態で紙継ぎすることができ、段ボールの形成時に振動や騒音が発生するのを抑制することができると共に、不良段ボールが形成されるのを防止することができ、また原紙の無駄を防止することができる。
【図面の簡単な説明】
【００８２】
【図１】この発明に係る紙継ぎ装置の第１の実施形態を示す概略図
【図２】(ａ)は図１の紙継ぎ部を拡大して示す縦断正面図、(ｂ)は(ａ)の一部を拡大して示す断面図
【図３】(ｃ)は新原紙と旧原紙の重なり部を切断した状態の断面図、(ｄ)は(ｃ)の一部を拡大して示す断面図
【図４】(ｅ)は新原紙と旧原紙の突合せ端部に片面粘着テープ片を貼り付けた状態の断面図、(ｆ)は(ｅ)の一部を拡大して示す断面図
【図５】(ｇ)は新原紙の紙継ぎ完了後の状態を示す断面図、(ｈ)は(ｇ)の一部を拡大して示す断面図
【図６】(ｉ)は、この発明に係る紙継ぎ装置の第２の実施形態を示す縦断正面図、(ｊ)は(ｉ)の一部を拡大して示す断面図
【図７】(ｋ)は新原紙と旧原紙の重なり部を切断した状態の断面図、(ｌ)は(ｋ)の一部を拡大して示す断面図
【図８】(ｍ)は新原紙と旧原紙の突合せ端部に片面粘着テープ片を貼り付けた状態の断面図、(ｎ)は(ｍ)の一部を拡大して示す断面図
【図９】(ｏ)は新原紙の紙継ぎ完了後の状態を示す断面図、(ｐ)は(ｏ)の一部を拡大して示す断面図
【図１０】(ｑ)は、この発明に係る紙継ぎ装置の第３の実施形態を示す縦断正面図、(ｒ)は新原紙と旧原紙の重なり部を切断した状態の断面図
【図１１】(ｓ)は、この発明に係る紙継ぎ装置の第４の実施形態を示す縦断正面図、(ｔ)は新原紙と旧原紙の重なり部を切断した状態の断面図
【符号の説明】
【００８３】
ａ１    旧原紙
ａ２    新原紙
５      駆動ローラ
６      プレスローラ
１０    テープ片吸着ステー
１１    吸着面
１２    吸着面
２０    新原紙吸着ステー
２１    吸着面
３０    旧原紙吸着ステー
４０    カッタ
５０    旧原紙吸着ステー
６０    新原紙クランプバー
【図１】
2008007273.tif 000003
【図２】
2008007273.tif 000004
【図３】
2008007273.tif 000005
【図４】
2008007273.tif 000006
【図５】
2008007273.tif 000007
【図６】
2008007273.tif 000008
【図７】
2008007273.tif 000009
【図８】
2008007273.tif 000010
【図９】
2008007273.tif 000011
【図１０】
2008007273.tif 000012
【図１１】
2008007273.tif 000013